(57)【要約】【課題】複数のコマンド機能のうちから所望のコマンド機能の選択を容易にする。【解決手段】表示部の第１の固定領域に複数のオブジェクトを含むオブジェクトリストを表示するステップと、前記オブジェクトリストからオブジェクトの一つが選択されると、該選択されたオブジェクトに対応する実行可能な複数のコマンド機能を含むメニューリストを前記表示部の第２の固定領域に表示するステップと、を含むものである。【選択図】図２
2009521058.tif 000002
【特許請求の範囲】
【請求項１】
モバイルターミナルに複数のコマンド機能を表示する方法であって、
表示部の第１の固定領域に複数のオブジェクトを含むオブジェクトリストを表示するステップと、
前記オブジェクトリストからオブジェクトの一つが選択されると、該選択されたオブジェクトに対応する実行可能な複数のコマンド機能を含むメニューリストを前記表示部の第２の固定領域に表示するステップと、
を含むことを特徴とするコマンド機能表示方法。
【請求項２】
前記メニューリストから前記コマンド機能の一つが選択されると、該選択されたコマンド機能が実行されることを特徴とする請求項１に記載のコマンド機能表示方法。
【請求項３】
前記オブジェクトリストが表示されている間、前記メニューリストも表示されることを特徴とする請求項１に記載のコマンド機能表示方法。
【請求項４】
前記複数のオブジェクトは、電話番号、呼び出し記録、テキストや音声メッセージ、画像ファイル、オーディオファイル又は動画ファイルを含むことを特徴とする請求項１に記載のコマンド機能表示方法。
【請求項５】
前記メニューリストは、前記選択されるオブジェクトの種類によって一部が異なることを特徴とする請求項１に記載のコマンド機能表示方法。
【請求項６】
前記オブジェクトリストを表示するステップは、
選択回数の多いオブジェクト順にオブジェクトリストを並び替え、該並び替えられたオブジェクトリストを表示することを特徴とする請求項１に記載のコマンド機能表示方法。
【請求項７】
前記オブジェクトリストを表示するステップは、
最近選択されたオブジェクトを基準にしてオブジェクトリストを順繰りに並び替え、該並び替えられたオブジェクトリストを表示することを特徴とする請求項１に記載のコマンド機能表示方法。
【請求項８】
前記オブジェクトリストを表示するステップは、
ユーザにより設定された順にオブジェクトリストを並び替え、該並び替えられたオブジェクトリストを表示することを特徴とする請求項１に記載のコマンド機能表示方法。
【請求項９】
前記オブジェクトリストを表示するステップは、前記モバイルターミナルが待機モードであるときに実行されることを特徴とする請求項１に記載のコマンド機能表示方法。
【請求項１０】
モバイルターミナルに複数のコマンド機能を表示する方法であって、
第１の表示部に複数のオブジェクトを含むオブジェクトリストを表示するステップと、
前記オブジェクトリストからオブジェクトの一つが選択されると、該選択されたオブジェクトに対応した実行可能な複数のコマンド機能を含むメニューリストを第２の表示部に表示するステップと、
前記メニューリストからコマンド機能の一つが選択されると、該選択されたコマンド機能を実行するステップと、
を含むことを特徴とするコマンド機能表示方法。
【請求項１１】
前記メニューリストは、前記選択されるオブジェクトの種類によって一部が異なることを特徴とする請求項１０に記載のコマンド機能表示方法。
【請求項１２】
モバイルターミナルであって、
表示部と、
入力部と、
前記表示部の第１の固定領域に複数のオブジェクトを含むオブジェクトリストを表示させ、前記オブジェクトリストからオブジェクトの一つが選択されると、該選択されたオブジェクトに対応した実行可能な複数のコマンド機能を含むメニューリストを前記表示部の第２の固定領域に表示させ、前記メニューリストからコマンド機能の一つが選択されると、該選択されたコマンド機能を実行させる制御部と、
を含んで構成したことを特徴とするモバイルターミナル。
【請求項１３】
前記制御部は、前記オブジェクトリストが表示されている間、前記メニューリストも表示させることを特徴とする請求項１２に記載のモバイルターミナル。
【請求項１４】
前記表示部及び前記入力部は、タッチスクリーンで構成され、前記タッチスクリーン上に表示された前記オブジェクトリストから選択された一つのオブジェクトをタッチし、該オブジェクトに対応した前記メニューリストの選択しようとするコマンド機能上まで前記タッチされたオブジェクトをドラッグし、そこでドロップすることにより前記コマンド機能が選択されることを特徴とする請求項１３に記載のモバイルターミナル。
【請求項１５】
モバイルターミナルであって、
第１の表示部と、
第２の表示部と、
入力部と、
前記第１の表示部に複数のオブジェクトを含むオブジェクトリストを表示させ、前記オブジェクトリストからオブジェクトの一つが選択されると、該選択されたオブジェクトに対応する実行可能な複数のコマンド機能を含むメニューリストを前記第２の表示部に表示させ、前記メニューリストからコマンド機能の一つが選択されると、該選択されたコマンド機能を実行させる制御部と、
を含んで構成したことを特徴とするモバイルターミナル。
【請求項１６】
前記メニューリストは、前記選択されるオブジェクトの種類によって一部が異なることを特徴とする請求項１５に記載のモバイルターミナル。
【請求項１７】
モバイルターミナルに複数のコマンド機能を表示する方法であって、
表示部の第１の固定領域に前記複数のコマンド機能を含むメニューリストを表示するステップと、
前記メニューリストからコマンド機能の一つが選択されると、該選択されたコマンド機能に対して実行可能な複数のオブジェクトを含むオブジェクトリストを表示するステップと、
前記オブジェクトリストからオブジェクトの一つが選択されると、該選択されたオブジェクトに対応する前記コマンド機能を実行するステップと、
を含むことを特徴とするコマンド機能表示方法。
【請求項１８】
前記オブジェクトリストは、前記メニューリストが表示されている間、表示されることを特徴とする請求項１７に記載のコマンド機能表示方法。
【請求項１９】
モバイルターミナルであって、
表示部と、
入力部と、
前記表示部の第１の固定領域に複数のコマンド機能を含むメニューリストを表示させ、前記メニューリストからコマンド機能の一つが選択されると、該選択されたコマンド機能に対して実行可能な複数のオブジェクトを含むオブジェクトリストを表示させ、前記オブジェクトリストからオブジェクトの一つが選択されると、該選択されたオブジェクトに対応する前記コマンド機能を実行させる制御部と、
を含んで構成したことを特徴とするモバイルターミナル。
【請求項２０】
前記表示部及び前記入力部は、タッチスクリーンで構成され、前記タッチスクリーン上に表示された前記メニューリストから選択されたコマンド機能をタッチし、該コマンド機能に対して実行可能な前記オブジェクトリストの選択しようとするオブジェクト上まで前記タッチされたコマンド機能をドラッグし、そこでドロップすることにより前記オブジェクトが選択されることを特徴とする請求項１９に記載のモバイルターミナル。
【発明の詳細な説明】
【技術分野】
【０００１】
本発明は、複数のコマンド機能を表示する方法に関し、特に、複数のコマンド機能のうちから所望のコマンド機能の選択を容易にしようとするコマンド機能表示方法及びモバイルターミナルに関する。
【背景技術】
【０００２】
最近の情報通信技術の発展に伴い、情報及び通信技術の分野においては著しい変化が求められている。情報及び通信技術の急速な変化の中で、モバイル通信ターミナルが広く使用されており、現代社会の必需品となっている。
【０００３】
モバイル通信ターミナルの普及に伴ってユーザの需要を満足させるために、短文メッセージ、ＭＭＳ（multimedia messaging system）、インターネットアクセス及び一般の音声呼び出しを含む多様な機能がモバイル通信ターミナルに提供されている。
【０００４】
また、要求される多様な機能を一つの装置にまとめる技術が進展するに連れて、マルチメディアプレイ、写真撮影、ゲーム及び基本通信を含む多様な付加機能がモバイル通信ターミナル（例えば、移動電話）によって提供されるようになった。
【０００５】
さらに、モバイルターミナルの表示部のスクリーンサイズは、モバイルターミナルの外装の大きさを小さくして携帯性をよくするために、縮小する傾向がある。これにより、コマンド機能用の多様なメニュー又はアイコンは、前述した多様な機能を実行するために、例えば複雑なツリー構造で表示部に表示される。
【発明の開示】
【発明が解決しようとする課題】
【０００６】
しかしながら、メニューのツリー構造から特定のコマンド機能を選択するためには、ユーザは、二つ以上のコマンド機能の選択手順を経なければならない。このように、特定のコマンド機能を選択するためのプロセスは、非常に複雑である。
【０００７】
また、ユーザは、メニューのツリー構造を記憶していない場合には、特定の最終コマンド機能（ツリー構造において最下位のコマンド機能）を検索するために、メニューのツリー構造から特定のコマンド機能の位置を推測しなければならない。したがって、特定のコマンド機能がメニューのツリー構造から正確に選択されない場合には、再度、上位のコマンド機能を検索した後、最終又は最下位のコマンド機能を検索しなければならず、非常に煩わしかった。
【０００８】
そこで、本発明は、上記問題を解決するためになされたものであり、複数のコマンド機能のうちから所望のコマンド機能の選択を容易にしようとするコマンド機能表示方法及びモバイルターミナルを提供することを目的とする。
【課題を解決するための手段】
【０００９】
上記目的を達成するために、本発明のモバイルターミナルに複数のコマンド機能を表示する方法は、表示部の第１の固定領域に複数のオブジェクトを含むオブジェクトリストを表示するステップと、前記オブジェクトリストからオブジェクトの一つが選択されると、該選択されたオブジェクトに対応する実行可能な複数のコマンド機能を含むメニューリストを前記表示部の第２の固定領域に表示するステップと、を含むものである。
【００１０】
また、本発明のモバイルターミナルは、表示部と、入力部と、前記表示部の第１の固定領域に複数のオブジェクトを含むオブジェクトリストを表示させ、前記オブジェクトリストからオブジェクトの一つが選択されると、該選択されたオブジェクトに対応した実行可能な複数のコマンド機能を含むメニューリストを前記表示部の第２の固定領域に表示させ、前記メニューリストからコマンド機能の一つが選択されると、該選択されたコマンド機能を実行させる制御部と、を含んで構成したものである。
【００１１】
また、本発明のモバイルターミナルは、第１の表示部と、第２の表示部と、入力部と、前記第１の表示部に複数のオブジェクトを含むオブジェクトリストを表示させ、前記オブジェクトリストからオブジェクトの一つが選択されると、該選択されたオブジェクトに対応する実行可能な複数のコマンド機能を含むメニューリストを前記第２の表示部に表示させ、前記メニューリストからコマンド機能の一つが選択されると、該選択されたコマンド機能を実行させる制御部と、を含んで構成したものである。
【００１２】
また、本発明のモバイルターミナルに複数のコマンド機能を表示する方法は、表示部の第１の固定領域に前記複数のコマンド機能を含むメニューリストを表示するステップと、前記メニューリストからコマンド機能の一つが選択されると、該選択されたコマンド機能に対して実行可能な複数のオブジェクトを含むオブジェクトリストを表示するステップと、前記オブジェクトリストからオブジェクトの一つが選択されると、該選択されたオブジェクトに対応する前記コマンド機能を実行するステップと、を含むものである。
【００１３】
また、本発明のモバイルターミナルは、表示部と、入力部と、前記表示部の第１の固定領域に複数のコマンド機能を含むメニューリストを表示させ、前記メニューリストからコマンド機能の一つが選択されると、該選択されたコマンド機能に対して実行可能な複数のオブジェクトを含むオブジェクトリストを表示させ、前記オブジェクトリストからオブジェクトの一つが選択されると、該選択されたオブジェクトに対応する前記コマンド機能を実行させる制御部と、を含んで構成したものである。
【００１４】
前述した本発明の一般的な説明及び後述する本発明の詳細な説明は、本発明の理解のための例示的な記載である。
【発明の効果】
【００１５】
本発明によれば、従来のツリー構造のコマンド機能構成を採用することなく、ユーザが一つのオブジェクト及び一つのコマンド機能を選択することにより、モバイルターミナルの全ての機能を実行することができ、モバイルターミナルの使用手順がより容易になる。
【００１６】
また、本発明は、最近又は最終に選択されたオブジェクトや、選択回数の多いたオブジェクトを表示部上に優先的に表示することができるため、ユーザがモバイルターミナルの各機能の使用状況態を容易に認識することができる。
【発明を実施するための最良の形態】
【００１７】
本発明の好適な実施形態を図面に基づいて詳細に説明する。類似な構成要素に対しては同一の符号を使用して示す。
【００１８】
本発明は、移動電話、個人携帯端末機（ＰＤＡ）、携帯用マルチメディアプレーヤ（ＰＭＰ）などのようなモバイルターミナルに適用可能である。以下においては、説明の便宜上、本発明が移動電話のようなモバイル通信ターミナルに適用された場合について述べるが、本発明はこれに限定されるものではない。
【００１９】
本発明によるモバイルターミナルの構成を、図１を参照して説明する。図１は、本発明によるモバイルターミナルの概要ブロック図である。
【００２０】
図１によれば、モバイルターミナル１は、メモリ部１０、入力部３０、表示部５０及び制御部７０を含む。モバイルターミナル１は、上記構成要素以外に、複数の付加構成要素（例えば、ＲＦ処理部、マルチメディアコンテンツ再生部、カメラ部）を具備することもできる。付加構成要素は、本発明の本質でないため、これに関する説明は省略する。
【００２１】
メモリ部１０は、モバイルターミナル１により提供される複数のコマンド機能を実行するための各種ソフトウェアと、このソフトウェアに関連した各種データとを格納するものである。また、メモリ部１０は、特定のコマンド機能がモバイルターミナル１で実行される場合、電話番号、呼び出し記録、ビデオファイル、オーディオファイル、テキスト、音声メッセージ、又は動画ファイルなどをコマンド機能の実行ターゲットとして格納する。以下、上記実行ターゲットは、“オブジェクト”という。
【００２２】
好ましくは、メモリ部１０は、複数のコマンド機能の各選択回数の累積値、及び／又は複数のオブジェクトの各選択回数の累積値を格納することができる。また、メモリ部１０は、最近又は最後に選択されたコマンド機能に関する情報、及び／又は最近又は最後に選択されたオブジェクトに関する情報を格納することもできる。累積された選択回数及び情報は、後述するように、本発明によるコマンド機能表示方法に使用される。
【００２３】
入力部３０は、ターミナルユーザが多様なコマンド又は情報を入力できるようにするものである。入力部３０は、本発明の入力部に限定されるものではなく、キーボードタイプの入力デバイス、ナビゲーションキータイプの入力デバイス、タッチパッドタイプの入力デバイス、ジョグダイヤルタイプの入力デバイスなどを含む。
【００２４】
表示部５０は、モバイルターミナル１により提供される各種視覚情報を表示するものである。モバイルターミナル１は二つ以上の表示部を含んでいる。コマンド機能及びオブジェクトは、必要に応じて後述するように表示部５０上に表示される。
【００２５】
タッチスクリーンがモバイルターミナル１に適用されている。ここで、タッチスクリーンは、入力部３０及び表示部５０の機能を同時に実行可能にしたものである。
【００２６】
制御部７０は、メモリ部１０、入力部３０及び表示部５０を制御して、モバイルターミナル１におけるコマンド機能表示方法の実行を可能にするものである。
【００２７】
以下、上記構成のモバイルターミナルで実行されるコマンド機能表示方法を説明する。
〔第１の実施形態〕
【００２８】
本発明の第１の実施形態による一つ以上のコマンド機能を表示する方法を、図２〜図８を参照して説明する。
【００２９】
図２は、本発明の第１の実施形態による一つ以上のコマンド機能を表示する方法を示すフローチャートであり、図３〜図６は、本発明の第１の実施形態による複数のコマンド機能を実行するモバイルターミナルの表示部に表示された画像を示し、図７及び図８は、本発明の第１の実施形態による複数のコマンド機能を実行するモバイルターミナルの表示部に表示された他の画像を示す。
【００３０】
複数のオブジェクトのオブジェクトリスト５１０がモバイルターミナルの表示部５０上に表示される（Ｓ２１０）。オブジェクトリスト５１０は、モバイルターミナルが待機モードである場合、初期状態として表示されるように構成される。オブジェクトリスト５１０は、ユーザが、オブジェクトリストの表示用コマンドをモバイルターミナル１に入力する場合に表示されるように構成される。前述したように、電話番号、呼び出し記録、ビデオファイル、オーディオファイル、テキストや音声メッセージ、動画ファイルなどのような各種オブジェクトは、オブジェクトリスト５１０上に表示することができる。また、説明の便宜上、このようなオブジェクトのうち、電話番号、ビデオファイル、オーディオファイル及びテキストメッセージタイプのオブジェクトが、図３〜図６のオブジェクトリスト５１０に表示される場合について後述する。
【００３１】
好ましくは、オブジェクトリスト５１０は、表示部の所定領域（以下、「第１の固定領域」という）において特定の形態で表示されるように構成される。図３〜図６は、オブジェクトリスト５１０が、表示部の左側領域にマトリクス状に表示される場合を示している。すなわち、図３〜図６に示す表示部の左側領域は、第１の固定領域に該当する。
【００３２】
オブジェクトリストのオブジェクトは、多様な方式により表示することができる。すなわち、オブジェクトは、各オブジェクトの選択回数に基づいて降順に並べて表示することができる。又は、オブジェクトは、ユーザにより最近選択されたオブジェクトから最初に選択されたオブジェクトの順に表示することもできる。また、オブジェクトは、ユーザにより予め構成された順序に従って表示してもよい。オブジェクトの数が多すぎてスクリーン上に全てのオブジェクトを同時に表示できない場合、オブジェクトリストには、特定の数のオブジェクトが表示されるようにしてもよい。
【００３３】
好ましくは、オブジェクトリスト上の各オブジェクトは、対応するオブジェクト名を示すテキストと、対応するオブジェクトの種類を示す映像とを組み合わせて表示するとよい。特に、ビデオファイル又は動画ファイルのようなオブジェクトにおいては、ファイルの映像自体をオブジェクトの種類を示す映像の代りに表示させることができる。
【００３４】
次に、一つのオブジェクトがオブジェクトリスト５１０から選択される（Ｓ２３０）。一つのオブジェクトがオブジェクトリストから選択される場合、選択されたオブジェクトは色変化、サイズ変動、フリッカ（flickering）などを用いて、選択されないオブジェクトリストのオブジェクトから視覚的に区別して表示されるのが好ましい。
【００３５】
一つのオブジェクトが選択された後、選択されたオブジェクトに対して実行可能なコマンド機能のリスト（以下、「メニューリスト」という）が表示される（Ｓ２５０）。
【００３６】
図３は、モバイルターミナルにおいて自動的に選択されたオブジェクトを示す説明図である。特に、図３は、オブジェクトリスト５１０が表示部上に最初に表示された状態を示し、この場合初期状態として、例えばオブジェクトリスト５１０の最も左側の最上端部のオブジェクト５１１が自動的に選択される。
【００３７】
図３によれば、最も左側の最上端部のオブジェクト５１１に適用可能なコマンド機能を含むメニューリスト５６０が表示される。この場合、最も左側の最上端部のオブジェクト５１１が例えば電話番号のオブジェクトであるので、電話番号のオブジェクトに適用可能なコマンド機能、すなわち、“呼び出し（Call）”、“新規メッセージ伝送（Send New Message）”、“格納されたメッセージ伝送（Send Save Message）”、“削除（Delete）”、“編集（Edit）”及び“リングタイプ選択（Select Ring Type）”が、メニューリスト５６０上に表示される。
【００３８】
好ましくは、メニューリスト５６０は、図３に示すように、第１の固定領域とは異なる所定領域（以下、「第２の固定領域」という）に、特定の形態でオブジェクトリスト５１０と共に、表示するとよい。図３〜図６は、オブジェクトリスト５１０と共に、表示部の右側領域にマトリクス状に固定表示される。すなわち、図３〜図６において、表示部の右側領域は、第２の固定領域に該当する。
【００３９】
本発明においては、メニューリストが特定領域にオブジェクトリストと共に表示される場合に限定されるものではない。メニューリストを別に表示させてもよい。例えば、一つのオブジェクトがオブジェクトリストから選択されると、選択されたオブジェクトに対応するメニューリストをオブジェクトリストが消えると同時に表示させるようにしてもよい。二つの表示部がモバイルターミナルに設けられている場合には、オブジェクトリストを一方の表示部に表示させ、他方の表示部にメニューリストを表示させるとよい。
【００４０】
以下、オブジェクトリスト５１０及びメニューリスト５６０が、図３に示すように表示部上に表示されているとき、オブジェクトリストからオーディオファイルタイプのオブジェクトがユーザにより選択される場合を説明する。
【００４１】
まず、ユーザは、図４に示すように、オブジェクトリスト５１０からオーディオファイルタイプのオブジェクト（例えば、“yesterday.way”オブジェクト５１２）を選択する。オブジェクトリスト５１０からのオーディオファイルタイプのオブジェクトの選択は、ナビゲーションキー又はジョグダイヤル、その他モバイルターミナル１の入力部３０のキーパッドを操作して実行される。入力部３０がタッチスクリーンを含む場合、オーディオファイルタイプのオブジェクトは、ユーザがタッチスクリーン上においてオーディオファイルタイプのオブジェクトを直接タッチすることによって選択される。
【００４２】
このようにしてオーディオファイルタイプのオブジェクトが選択されると、このオブジェクトに適用可能なコマンド機能を含むメニューリスト５６０が図４に示すように、第２の固定領域に表示される。図４に示すコマンド機能は、オーディオファイルタイプのオブジェクトに適用可能な“再生（Play）”、“リングタイプ選択（Select Ring Type）”、“マルチメール伝送（Send Multi-Mail）”、“削除（Delete）”及び“名称変更（Change Name）”を含む。
【００４３】
ユーザがメニューリスト５６０から特定のコマンド機能を選択すると（Ｓ２７０）、選択されたオブジェクトのコマンド機能に対応する機能がモバイルターミナルで実行される（Ｓ２９０）。特に、ユーザが“再生”のコマンド機能５６１を選択すると、選択されたオーディオファイルタイプのオブジェクト５１２がモバイルターミナルで再生される。
【００４４】
オブジェクトの選択の際、メニューリスト上における特定のコマンド機能の選択は、ナビゲーションキー又はジョグダイヤル以外にも、モバイルターミナル１の入力部３０のキーパッドを操作して実行される。入力部３０がタッチスクリーンである場合、特定の機能は、ユーザがタッチスクリーン上で特定のコマンド機能を直接タッチすることにより選択される。
【００４５】
前述したように、メニューリストは、選択されたオブジェクトの種類によって少なくとも一部が異なるように構成することができる。以下、図５及び図６を参照してメニューリストの詳細を説明する。
【００４６】
図５によれば、ビデオファイルタイプのオブジェクト（例えば、“clean sky.Jpg”（５１３））が、オブジェクトリスト５１０から選択される。ここで、ビデオファイルタイプのオブジェクトに対応するコマンド機能、例えば、“拡大（Enlarge）”、“背景選択（Select Background）”、“マルチメール伝送（Send Multi-Mail）”、“削除（Delete）”、“名称変更（Change Name）”及び“画像トリミング（Trim Picture）”が、メニューリスト５６０上に表示される。
【００４７】
図６によれば、テキストメッセージタイプのオブジェクト（例えば、James Message（５１４））が、オブジェクトリスト５１０から選択される。ここで、テキストメッセージタイプのオブジェクトに対応するコマンド機能、例えば、“応答（Reply）”、“伝送（Send）”、“メッセージ格納（Save Message）”及び“削除（Delete）”が、メニューリスト５６０上に表示される。
【００４８】
前述したように、オブジェクトリスト５１０又はメニューリスト５６０は、マトリクス状に表示されるものに限定されない。例えば、図７及び図８に示すように、オブジェクトリストは、第１の固定領域にアークスタイル（arc style）で表示され、メニューリストは、オブジェクトリストから選択されたオブジェクトを横断するストラップスタイル（strap style）で第２の固定領域に表示される。当業者であれば、図７及び図８を完全に理解できるため、具体的な説明は省略する。
【００４９】
一方、タッチスクリーンがモバイルターミナルに適用されている場合、オブジェクトリストからのオブジェクト選択、及び、メニューリストからのコマンド機能選択は、より容易になる。これについては、図９〜図１１を参照して以下に説明する。
【００５０】
図９〜図１１は、本発明の第１の実施形態による複数のコマンド機能表示方法を説明するモバイルターミナルのタッチスクリーン上に表示された画像の遷移図である。
【００５１】
図９に示すように、ターミナルユーザは、タッチスクリーン上でオーディオファイルタイプのオブジェクト５１２をタッチする。これにより、図１０に示すように、オーディオファイルタイプのオブジェクトに対応するメニューリスト５６０が表示される。
【００５２】
次に、図１１に示すように、ターミナルユーザは、メニューリストから特定のコマンド機能（例えば、“再生（Play）”コマンド機能５６１）まで、オーディオファイルタイプのオブジェクト５１２をドラッグし、そこでドロップする。これにより、ドラッグ及びドロップされたオブジェクトに対するコマンド機能、例えば“再生（Play）”コマンド機能５６１がモバイルターミナルで実行される。
〔第２の実施形態〕
【００５３】
本発明の第２の実施形態による複数のコマンド機能を表示する方法を、図１２〜図１４を参照して説明する。
【００５４】
図１２は、本発明の第２の実施形態による複数のコマンド機能を表示する方法を説明するフローチャートである。また、図１３及び図１４は、本発明の第２の実施形態による複数のコマンド機能表示方法を説明するモバイルターミナルの表示部に表示された画像の表示例である。
【００５５】
図１３に示すように、複数のコマンド機能を有するメニューリスト５２０がモバイルターミナル１の表示部５０上に表示される（Ｓ６１０）。メニューリスト５２０は、モバイルターミナルが待機モードである場合、例えば初期状態として表示されるようになっている。この場合、メニューリスト５２０は、ユーザが、メニューリストを表示するためにコマンドをモバイルターミナル１に入力することにより表示される。好ましくは、モバイルターミナルにより提供可能な全てのコマンド機能が、メニューリスト上に表示されるとよい。
【００５６】
好ましくは、メニューリスト５２０は、表示部の所定領域（以下、「第１の固定領域」という）において特定の形態で表示される。図１３及び図１４は、メニューリストが、表示部の左側領域上にマトリクス形態で固定されて表示された表示例である。ここで、表示部の左側領域は、図１３及び図１４の第１の固定領域に該当する。
【００５７】
メニューリストのコマンド機能は、各コマンド機能の各選択回数に基づいて降順に並べて表示される。又は、メニューリストのコマンド機能は、ユーザにより最近選択されたコマンド機能から最初に選択されたコマンド機能の順に表示されてもよい。また、メニューリストのコマンド機能は、ユーザにより予め構成された順序に従って表示してもよい。コマンド機能の数が多すぎてスクリーン上に全てのコマンド機能を同時に表示できない場合には、メニューリストは、特定の数のコマンド機能が表示されるようにしてもよい。
【００５８】
次に、コマンド機能の一つがメニューリスト５２０から選択される（Ｓ６３０）。一つのコマンド機能がメニューリスト５２０から選択されると、選択されたコマンド機能は色変化、サイズ変動、フリッカなどを用いて、選択されない他のコマンド機能と視覚的に区別して表示されるのが好ましい。
【００５９】
コマンド機能の一つが選択されると、この選択されたコマンド機能に対して実行可能なオブジェクトのリスト（以下、「オブジェクトリスト」という）が表示される。好ましくは、オブジェクトリスト５７０上の各オブジェクトは、オブジェクト名を示すテキストと、オブジェクトの種類を示す映像とを組み合わせて表示されるようにするとよい。特に、ビデオファイル及び動画ファイルのようなオブジェクトにおいては、ファイルの映像自体をオブジェクトの種類を示す映像の代りに表示してもよい。
【００６０】
図１３は、メニューリスト５２０が表示部５０に最初に表示されたとき、メニューリスト５２０の中心のコマンド機能５２１が、初期状態として自動的に選択されるように構成されたモバイルターミナルの表示例を示す説明図である。同図に示すように、中心のコマンド機能５２１に適用可能なオブジェクトを含むオブジェクトリスト５７０が表示される。この場合、図１３において中心のコマンド機能５２１が“マルチメール伝送（Send Multi-Male）”であるので、“マルチメール伝送（Send Multi-Male）”のコマンド機能に対して実行可能なオブジェクトがオブジェクトリスト５７０に表示される。
【００６１】
好ましくは、図１３に示すように、オブジェクトリスト５７０は、第１の固定領域とは異なる所定領域（以下、「第２の固定領域」という）に、メニューリスト５２０と共に所定の形態で表示されるようにするとよい。図１３及び図１４は、メニューリスト５２０がオブジェクトリスト５７０と共に、表示部の右側領域にマトリクス形態で固定されて表示された表示例を示すものである。すなわち、図１３及び図１４において、表示部の右側領域は、第２の固定領域に該当する。
【００６２】
本発明によれば、オブジェクトリストは、特定領域にオブジェクトリストと共に表示されるものに限定されない。例えば、一つのコマンド機能がメニューリストから選択された場合、選択されたコマンド機能に対応するオブジェクトリストをメニューリストが消えると同時に表示させてもよい。また、二つの表示部がモバイルターミナル１に設けられている場合には、メニューリストが一方の表示部に表示され、他方の表示部にオブジェクトリストが表示されるようにしてもよい。
【００６３】
メニューリスト５２０及びオブジェクトリスト５７０が、図１３に示すように、第１及び第２の固定領域に夫々表示されているとき、“新規メッセージ伝送（New Message）”のコマンド機能５２２がユーザによりメニューリストから選択される場合について、以下に説明する。
【００６４】
まず、ユーザは、メニューリスト５２０から“新規メッセージ伝送（New Message）”のコマンド機能５２２を選択する。メニューリスト５２０上における“新規メッセージ伝送（New Message）”のコマンド機能５２２の選択は、ナビゲーションキー又はジョグダイヤルの外にも、モバイルターミナル１の入力部３０のキーパッドの操作により実行することができる。入力部３０がタッチスクリーンである場合には、“新規メッセージ伝送（New Message）”のコマンド機能は、ユーザがタッチスクリーン上において“新規メッセージ伝送（New Message）”のコマンド機能５２２を直接タッチすることにより選択される。
【００６５】
このようにして“新規メッセージ伝送（New Message）”コマンド機能５２２が選択されると、“新規メッセージ伝送（New Message）”のコマンド機能５２２に対して実行可能なオブジェクトを含むオブジェクトリスト５７０が、図１４に示すように、第２の固定領域に表示される（Ｓ６５０）。
【００６６】
ユーザによりオブジェクトリストから特定のオブジェクトが選択される（Ｓ６７０）と、選択されたオブジェクトに対応するコマンド機能がモバイルターミナルで実行される（Ｓ６９０）。
【００６７】
コマンド機能を選択する際、オブジェクトリストから特定のオブジェクトを選択するのに、ナビゲーションキー又はジョグダイヤルの外にも、モバイルターミナル１の入力部３０のキーパッドの操作により実行してもよい。また、入力部３０がタッチスクリーンである場合には、特定のオブジェクトは、ユーザがタッチスクリーン上において特定のオブジェクトを直接タッチすることにより選択することができる。
【００６８】
前述したように、メニューリスト又はオブジェクトリストは、マトリクス形態で表示されるものに限られない。これについては、本発明の第１の実施形態に関する説明で言及したので省略する。
【００６９】
さらに、タッチスクリーンがモバイルターミナルに適用されている場合には、オブジェクトリストからのオブジェクト選択及びメニューリストからのコマンド機能選択は、より容易になる。これについては、本発明の第１の実施形態に関する説明で言及したので省略する。
【００７０】
本発明の技術的思想及びその技術的範囲内において、多様に改良、変更、代替又は付加できることは明らかである。したがって、本発明は、添付された特許請求の範囲内で、その均等物で提供される本発明の修正及び変形を全て包含する。
【図面の簡単な説明】
【００７１】
【図１】本発明によるモバイルターミナルの概要ブロック図である。
【図２】本発明の第１の実施形態による複数のコマンド機能を表示する方法を説明するフローチャートである。
【図３】本発明の第１の実施形態において、モバイルターミナルの表示部に表示されるオブジェクトリスト及びメニューリストの初期表示例を示した説明図である。
【図４】本発明の第１の実施形態において、選択されたオブジェクトに対応するメニューリストの表示例を示した説明図である。
【図５】本発明の第１の実施形態において、別のオブジェクトに対応するメニューリストの表示例を示した説明図である。
【図６】本発明の第１の実施形態において、さらに別のオブジェクトに対応するメニューリストの表示例を示した説明図である。
【図７】本発明の第１の実施形態において、モバイルターミナルの表示部に表示されるオブジェクトリスト及びメニューリストの他の表示例を示した説明図である。
【図８】図７において、選択されたオブジェクトに対応するメニューリストの表示例を示した説明図である。
【図９】本発明の第１の実施形態による複数のコマンド機能表示方法を説明するモバイルターミナルのタッチスクリーン上に表示された画像の遷移図であり、初期表示例を示す。
【図１０】図９において、オブジェクトが選択された際の表示例を示す説明図である。
【図１１】図１０において、コマンド機能の選択時の表示例を示す説明図である。
【図１２】本発明の第２の実施形態による複数のコマンド機能を表示する方法を説明するフローチャートである。
【図１３】本発明の第２の実施形態において、モバイルターミナルの表示部に表示されるメニューリスト及びオブジェクトリストの初期表示例を示した説明図である。
【図１４】本発明の第２の実施形態において、選択されたコマンド機能に対応するオブジェクトリストの表示例を示した説明図である。
【符号の説明】
【００７２】
１  モバイルターミナル
１０  メモリ部
３０   入力部
５０   表示部
７０   制御部
５１０、５７０  オブジェクトリスト
５１２  オーディオファイルタイプのオブジェクト
５２０、５６０  メニューリスト
５６１  “再生”のコマンド機能
【図１】
2009521058.tif 000003
【図２】
2009521058.tif 000004
【図３】
2009521058.tif 000005
【図４】
2009521058.tif 000006
【図５】
2009521058.tif 000007
【図６】
2009521058.tif 000008
【図７】
2009521058.tif 000009
【図８】
2009521058.tif 000010
【図９】
2009521058.tif 000011
【図１０】
2009521058.tif 000012
【図１１】
2009521058.tif 000013
【図１２】
2009521058.tif 000014
【図１３】
2009521058.tif 000015
【図１４】
2009521058.tif 000016
【国際調査報告】
2009521058.tif 000017
2009521058.tif 000018
2009521058.tif 000019